(57)【要約】【課題】予め想定される受信機帯域内雑音分を補正することによって精度良い特定チャネル受信電界強度測定を実現する。【解決手段】受信帯域内の全チャネル信号の総和電界強度ＲＳＳＩを検出するとともに、特定の拡散符号で拡散されたチャネル信号と全チャネル信号の電力比Ｅｃ／Ｉｏｒを検出する。あらかじめ定められた受信機帯域内雑音電力データ受信機帯域内雑音電力データを用いた演算処理によって、Ｅｃ／Ｉｏｒの検出値を受信帯域内雑音分補正し、このＥｃ／Ｉｏｒ補正値とＲＳＳＩ検出値とから、特定の拡散符号で拡散されたチャネル信号の受信電界強度ＲＳＣＰを求める。あるいは、受信機帯域内雑音電力データを用いた演算処理によって、ＲＳＣＰ’検出値を受信機帯域内雑音電力分補正した、前記特定の拡散符号で拡散されたチャネル信号の受信電界強度ＲＳＣＰを求める。【選択図】　図３
2004056540.tif 000002
【特許請求の範囲】
【請求項１】
直接スペクトラム拡散方式により多重化された信号の受信電界強度測定を行う受信電界強度測定装置であって、
受信帯域内の全チャネル信号の総和電界強度ＲＳＳＩを検出する総和電界強度検出手段と、
特定の拡散符号で拡散されたチャネル信号と全チャネル信号との電力比Ｅｃ／Ｉｏｒを検出する電力比検出手段と、
あらかじめ定められた受信機帯域内雑音電力データを保持する受信機帯域内雑音電力データ保持手段とを具備し、
前記受信機帯域内雑音電力データを用いた演算処理によって前記Ｅｃ／Ｉｏｒの検出値を受信帯域内雑音分補正し、このＥｃ／Ｉｏｒ補正値と前記ＲＳＳＩ検出値とから、特定の拡散符号で拡散されたチャネル信号の受信電界強度ＲＳＣＰを求めることを特徴とする受信電界強度測定装置。
【請求項２】
直接スペクトラム拡散方式により多重化された信号の受信電界強度測定を行う受信電界強度測定装置であって、
受信帯域内の全チャネル信号の総和電界強度ＲＳＳＩを検出する総和電界強度検出手段と、
特定の拡散符号で拡散されたチャネル信号と全チャネル信号の電力比Ｅｃ／Ｉｏｒを検出する電力比検出手段と、
前記ＲＳＳＩ検出値と前記Ｅｃ／Ｉｏｒ検出値とから前記特定の拡散符号で拡散されたチャネル信号の受信電界強度ＲＳＣＰ’を検出する受信電界強度検出手段と、
あらかじめ定められた受信機帯域内雑音電力データを保持する受信機帯域内雑音電力データ保持手段とを具備し、
前記受信機帯域内雑音電力データを用いた演算処理によって前記ＲＳＣＰ’検出値を受信機帯域内雑音電力分補正した、前記特定の拡散符号で拡散されたチャネル信号の受信電界強度ＲＳＣＰを求めることを特徴とする受信電界強度測定装置。
【請求項３】
請求項１に記載の受信電界強度測定装置において、受信機帯域内雑音電力データ保持手段に代えて、あらかじめ定められた受信機の雑音指数データを保持する手段を具備し、前記雑音指数データから演算によって得られる受信機帯域内雑音電力を前記Ｅｃ／Ｉｏｒ検出値の補正に用いることを特徴とする受信電界強度測定装置。
【請求項４】
請求項２に記載の受信電界強度測定装置において、受信機帯域内雑音電力データ保持手段に代えて、あらかじめ定められた受信機の雑音指数データを保持する手段を具備し、前記雑音指数データから演算によって得られる受信機帯域内雑音電力を、前記ＲＳＣＰ’検出値の補正に用いることを特徴とする受信電界強度測定装置。
【請求項５】
請求項１または２に記載の受信電界強度測定装置において、環境温度を検出する手段と、環境温度に応じて受信機帯域内雑音電力データを生成する手段を具備し、前記受信機帯域内雑音電力データとして、検出した環境温度に対応したものを用いることを特徴とする受信電界強度測定装置。
【請求項６】
請求項３または４に記載の受信電界強度測定装置において、環境温度を検出する手段と、環境温度に応じて受信機の雑音指数データを生成する手段を具備し、前記受信機の雑音指数データとして、検出した環境温度に対応したものを用いることを特徴とする受信電界強度測定装置。
【請求項７】
請求項１または２に記載の受信電界強度測定装置において、受信機の利得制御信号を検出する手段と、受信機の利得制御信号に応じて受信機帯域内雑音電力データを生成する手段とを具備し、前記受信機帯域内雑音電力データとして、検出した利得制御信号に対応したものを用いることを特徴とする受信電界強度測定装置。
【請求項８】
請求項３または４に記載の受信電界強度測定装置において、受信機の利得制御信号を検出する手段と、受信機の利得制御信号に応じて受信機の雑音指数データを生成する手段を具備し、前記受信機の雑音指数データとして、検出した利得制御信号に対応したものを用いることを特徴とする受信電界強度測定装置。
【請求項９】
直接スペクトラム拡散方式により多重化された信号の受信電界強度測定を行う受信電界強度測定方法であって、
受信帯域内の全チャネル信号の総和電界強度ＲＳＳＩを検出するステップと、特定の拡散符号で拡散されたチャネル信号と全チャネル信号との電力比Ｅｃ／Ｉｏｒを検出するステップと、
あらかじめ定められた受信機帯域内雑音電力データを保持するステップと、
前記受信機帯域内雑音電力データを用いた演算処理によって前記Ｅｃ／Ｉｏｒの検出値を受信帯域内雑音分補正し、このＥｃ／Ｉｏｒ補正値と前記ＲＳＳＩ検出値とから、前記特定の拡散符号で拡散されたチャネル信号の受信電界強度を検出するステップと
を具備したことを特徴とする受信電界強度測定方法。
【請求項１０】
直接スペクトラム拡散方式により多重化された信号の受信電界強度測定を行う受信電界強度測定方法であって、
受信帯域内の全チャネル信号の総和電界強度ＲＳＳＩを検出するステップと、特定の拡散符号で拡散されたチャネル信号と全チャネル信号との電力比Ｅｃ／Ｉｏｒを検出するステップと、
前記ＲＳＳＩ検出値と前記Ｅｃ／Ｉｏｒ検出値とから前記特定の拡散符号で拡散されたチャネル信号の受信電界強度ＲＳＣＰ’を検出するステップと、
あらかじめ定められた受信機帯域内雑音電力データを用いた演算処理によって前記ＲＳＣＰ’検出値を受信機帯域内雑音電力分補正した、前記特定の拡散符号で拡散されたチャネル信号の受信電界強度ＲＳＣＰを求めることを特徴とする受信電界強度測定方法。
【請求項１１】
直接スペクトラム拡散方式による多重化された信号を復調、復号して出力する手段と、
送信対象の信号を符号化、変調して送信する手段と、
直接スペクトラム拡散方式により多重化された信号の受信電界強度測定を行う受信電界強度測定装置とを備え、
測定結果を内部または外部で使用する携帯無線端末装置であって、
前記受信電界強度測定装置は、
受信帯域内の全チャネル信号の総和電界強度ＲＳＳＩを検出する総和電界強度検出手段と、
特定の拡散符号で拡散されたチャネル信号と全チャネル信号との電力比Ｅｃ／Ｉｏｒを検出する電力比検出手段と、
あらかじめ定められた受信機帯域内雑音電力データを保持する受信機帯域内雑音電力データ保持手段とを具備し、
前記受信機帯域内雑音電力データを用いた演算処理によって前記Ｅｃ／Ｉｏｒの検出値を受信帯域内雑音分補正し、このＥｃ／Ｉｏｒ補正値と前記ＲＳＳＩ検出値とから、特定の拡散符号で拡散されたチャネル信号の受信電界強度ＲＳＣＰを求める
ことを特徴とする携帯通信端末装置。
【請求項１２】
直接スペクトラム拡散方式による多重化された信号を復調、復号して出力する手段と、
送信対象の信号を符号化、変調して送信する手段と、
直接スペクトラム拡散方式により多重化された信号の受信電界強度測定を行う受信電界強度測定装置とを備え、
測定結果を内部または外部で使用する携帯無線端末装置であって、
前記受信電界強度測定装置は、
受信帯域内の全チャネル信号の総和電界強度ＲＳＳＩを検出する総和電界強度検出手段と、
特定の拡散符号で拡散されたチャネル信号と全チャネル信号の電力比Ｅｃ／Ｉｏｒを検出する電力比検出手段と、
前記ＲＳＳＩ検出値と前記Ｅｃ／Ｉｏｒ検出値とから前記特定の拡散符号で拡散されたチャネル信号の受信電界強度ＲＳＣＰ’を検出する受信電界強度検出手段と、
あらかじめ定められた受信機帯域内雑音電力データを保持する受信機帯域内雑音電力データ保持手段とを具備し、
前記受信機帯域内雑音電力データを用いた演算処理によって前記ＲＳＣＰ’検出値を受信機帯域内雑音電力分補正した、前記特定の拡散符号で拡散されたチャネル信号の受信電界強度ＲＳＣＰを求めることを特徴とする携帯通信端末装置。
【発明の詳細な説明】
【０００１】
【発明の属する技術分野】
本発明は、直接スペクトラム拡散方式により多重化された信号の受信電界強度測定を行う方法および装置に関する。
【０００２】
【従来の技術】
広帯域符号分割多元接続（Ｗ−ＣＤＭＡ：Ｗｉｄｅ−ｂａｎｄ　Ｃｏｄｅ　Ｄｉｖｉｓｉｏｎ　ＭｕｌｔｉｐｌｅＡｃｃｅｓｓ）のようなＤＳ（Ｄｉｒｅｃｔ　Ｓｅｑｕｅｎｃｅ）−ＣＤＭＡ方式の携帯電話では、直接スペクトラム拡散方式により個別の拡散符号によってスペクトラム拡散された各チャネルの信号を同一無線周波数上に多重化し通信を行う。ＤＳ−ＣＤＭＡ方式携帯電話では、携帯電話アンテナにおける、同一周波数上に存在する全チャネル信号の総和電界強度（以降、全ＣＨ受信電界強度という）の携帯電話の測定値ＲＳＳＩ（Ｒｅｃｅｉｖｅｄ　Ｓｉｇｎａｌ　Ｓｔｒｅｎｇｔｈ　Ｉｎｄｉｃａｔｏｒ）と多重化された信号内の特定のチャネルの電界強度（以降、特定ＣＨ受信電界強度という）の携帯電話での測定値ＲＳＣＰ（Ｒｅｃｅｉｖｅｄ　Ｓｉｇｎａｌ　Ｃｏｄｅ　Ｐｏｗｅｒ）を正確に測定する必要がある。
【０００３】
【発明が解決しようとする課題】
図２に、アンテナ入力換算帯域内雑音レベルが−１０１ｄＢｍの受信機にて従来の受信電界強度測定装置を用いて、Ｅｃ／Ｉｏｒ＝−５ｄＢの受信信号を受信した場合のＥｃ／Ｉｏｒ，ＲＳＣＰの測定値を示す。ただし、結果は対数単位（ｄＢ）で示されている。
【０００４】
図２から分かるように、従来の受信電界強度測定装置では、全ＣＨ受信電界強度が受信機帯域内雑音付近まで低下すると、実際のＥｃ／Ｉｏｒに対してその測定値に誤差が生じる。また、ＲＳＣＰは、Ｅｃ／Ｉｏｒ測定値の誤差分だけ、実際のＲＳＣＰに対してその測定値に誤差が生じる。
【０００５】
上記従来技術の問題点に対し、本発明は、予め想定される受信機帯域内雑音分を補正することによって精度良い特定チャネル受信電界強度測定を実現することができる受信電界強度測定装置、受信電界強度測定方法および携帯通信端末装置を提供することを目的とする。
【０００６】
【課題を解決するための手段】
本発明による受信電界強度測定装置は、直接スペクトラム拡散方式により多重化された信号の受信電界強度測定を行う受信電界強度測定装置である。総和電界強度検出手段は、受信帯域内の全チャネル信号の総和電界強度ＲＳＳＩを検出する。電力比検出手段は、特定の拡散符号で拡散されたチャネル信号と全チャネル信号との電力比Ｅｃ／Ｉｏｒを検出する。受信機帯域内雑音電力データ保持手段は、あらかじめ定められた受信機帯域内雑音電力データを保持する。この構成において、受信機帯域内雑音電力データを用いた演算処理によってＥｃ／Ｉｏｒの検出値を受信帯域内雑音分補正し、このＥｃ／Ｉｏｒ補正値と前記ＲＳＳＩ検出値とから、特定の拡散符号で拡散されたチャネル信号の受信電界強度ＲＳＣＰを求める。
【０００７】
このようにスペクトラム拡散によって多重された複数の信号の中から特定の信号の受信電界強度を測定する際に、受信機帯域内雑音電力データを予め考慮に入れることによって、弱電界の環境下においても精度のよい受信電界強度測定が実現できる。
【０００８】
補正の対象としてＥｃ／Ｉｏｒでなく、ＲＳＣＰを直接補正することも可能である。すなわち、受信機帯域内雑音電力データを用いた演算処理によってＲＳＣＰ’検出値を受信機帯域内雑音電力分補正した、前記特定の拡散符号で拡散されたチャネル信号の受信電界強度ＲＳＣＰを求めるようにしてもよい。
【０００９】
上記受信電界強度測定装置において、受信機帯域内雑音電力データ保持手段に代えて、あらかじめ定められた受信機の雑音指数データを保持する手段を具備し、前記雑音指数データから演算によって得られる受信機帯域内雑音電力を前記Ｅｃ／Ｉｏｒ検出値の補正に用いることも可能である。あるいは、前記雑音指数データから演算によって得られる受信機帯域内雑音電力を、前記ＲＳＣＰ’検出値の補正に用いることも可能である。
【００１０】
受信機帯域内雑音電力データは、必ずしも固定である必要はなく、環境温度に応じて受信機帯域内雑音電力データを生成する手段を具備し、前記受信機帯域内雑音電力データとして、検出した環境温度に対応したものを用いるようにしてもよい。同様に、環境温度に応じて受信機の雑音指数データを生成する手段を具備し、前記受信機の雑音指数データとして、検出した環境温度に対応したものを用いるようにしてもよい。
【００１１】
また、受信機の利得制御信号に応じて受信機帯域内雑音電力データを生成する手段とを具備し、前記受信機帯域内雑音電力データとして、検出した利得制御信号に対応したものを用いたり、受信機の利得制御信号に応じて受信機の雑音指数データを生成する手段を具備し、前記受信機の雑音指数データとして、検出した利得制御信号に対応したものを用いたりすることも可能である。
【００１２】
本発明は、また、直接スペクトラム拡散方式により多重化された信号の受信電界強度測定を行う受信電界強度測定方法としても把握しうる。さらには、後述するように、受信電界強度測定装置を用いた携帯通信端末装置としても把握しうる。
【００１３】
【発明の実施の形態】
以下、本発明の実施の形態について、図面を参照して詳細に説明する。
【００１４】
図１に、本発明が適用されるＣＤＭＡ受信機における受信電界強度測定装置（回路）の構成例を示す。この受信電界強度測定装置の構成および動作は次のとおりである。
【００１５】
アンテナ１から到来する受信信号は、受信フロントエンド部２で増幅／フィルタリングによる不要波の除去／中間周波数帯域へ周波数変換され可変利得増幅器３に入力される。可変利得増幅器３は、Ｄ／Ａコンバータ１０から与えられる制御電圧に従って利得を可変する増幅器である。可変利得増幅器３に入力された受信信号はＤ／Ａコンバータ１０から与えられる制御電圧に従った利得で増幅され、直交復調部４で直交復調後、Ａ／Ｄコンバータ５でディジタル信号に変換される。
【００１６】
まず、受信帯域内の全チャネル信号の総和電界強度ＲＳＳＩの測定動作について説明する。ＲＳＳＩは、後述するＡ／Ｄコンバータ５の入力レベルを常に一定レベルにする自動利得制御ループから得られる利得制御データによって測定される。自動利得制御ループは、受信信号レベル検出部６によって生成されるＡ／Ｄコンバータ５の出力レベルに比例した受信信号レベルデータと基準レベル値８との差分データを比較器７によって生成し、この差分データが積分器９で積分された後、Ｄ／Ａコンバータ１０でアナログ信号に変換されて、上述した可変利得増幅器３の利得調整信号として与える動作によって実現される。この動作によってＡ／Ｄコンバータ５出力レベルが常に基準レベル値８の値と一致するように、またＡ／Ｄコンバータ５の入力レベルが常に最適な一定値となるように、アンテナ１に入力される受信波の全ＣＨ受信電界強度に応じて可変利得増幅器３の利得が制御される。ここで、積分器９から出力される利得制御データはアンテナ１に入力される受信波の全ＣＨ受信電界強度に比例した値を持っており、この利得制御データに対してＲＳＳＩ補正部１１で全ＣＨ受信電界強度データヘ変換する処理を行うことによってＲＳＳＩを測定することが可能となる。ＲＳＳＩ補正部での変換方法は多種存在するが、いずれの変換方法においても装置の製造工程で調整することによってばらつきは吸収され、正確なＲＳＳＩ測定が可能となる。
【００１７】
次に、特定の拡散符号で拡散されたチャネル信号の受信電界強度ＲＳＣＰの測定動作について説明する。Ａ／Ｄコンバータ５から出力された受信信号データは逆拡散部１２で逆拡散処理されることによって特定チャネルの受信信号データのみ取り出され、逆拡散復調信号として出力されるとともに、チャネル信号レベル検出部１３に入力される。チャネル信号レベル検出部１３では、入力された特定チャネルの信号レベルを検出し、Ｅｃ／Ｉｏｒ計算部１４にその特定チャネル信号レベルデータを出力する。Ｅｃ／Ｉｏｒ計算部１４では、入力される特定チャネル信号レベルデータと基準レベル値８とから特定チャネル信号レベルと基準レベルとのレベル比を計算し、Ｅｃ／Ｉｏｒデータを出力する。ここで、前述の自動利得制御動作からＡ／Ｄコンバータ５の出力レベルは常に基準レベル値８の値に一致するように制御されていることから、基準レベル値８はＡ／Ｄコンバータにおける受信全チャネル信号の総和レベルに相当する。つまり、Ｅｃ／Ｉｏｒデータは特定ＣＨ受信電界強度対全ＣＨ受信電界強度比を表す値となる。よって、ＲＳＣＰはこのＥｃ／ＩｏｒとＲＳＳＩから（１）式によって測定することができる。以降で用いている各パラメータは、特に明示した場合を除いて真数表現で表している。
【数１】
2004056540.tif 000003
【００１８】
しかしながら、従来の受信電界強度測定装置においては、全ＣＨ受信電界強度が受信機の帯域内雑音レベル程度に低い場合に、ＲＳＣＰ測定値に誤差を生じるという問題点がある。これは、受信信号レベル検出部６が受信信号だけでなく受信機が持つ帯域内雑音も含めてレベル検出するため、実際には受信信号と受信機帯域内雑音が加算された信号のレベルがＡ／Ｄコンバータ５出力で基準レベル値８のレベルになるように自動利得制御されることに起因している。
【００１９】
ここで、基準レベル値８がＡ／Ｄコンバータ５出力で目標値ｔａｒｇｅｔに相当する値に設定されている場合を考える。前述のように、受信信号と受信機帯域内雑音が加算された信号に対してＡ／Ｄコンバータ５出力レベルが基準レベル８のレベルになるように自動利得制御されることから、受信機がもつアンテナ入力換算帯域内雑音レベルをＮｒｅｃｅｉｖｅｒとすると、アンテナ１からＡ／Ｄコンバータ５出力までの利得Ｇは次式（２）で表される。
【数２】
2004056540.tif 000004
【００２０】
一方、Ａ／Ｄコンバータ５出力での特定ＣＨ受信電界強度：特定ＣＨ＿Ｌｖ＠Ａ／Ｄは、次式（３）で表される。
【数３】
2004056540.tif 000005
【００２１】
この特定ＣＨ＿Ｌｖ＠Ａ／Ｄは、チャネル信号レベル検出部１３で検出されるレベル値に相当するので、この場合、Ｅｃ／Ｉｏｒ計算部１４の出力値Ｅｃ／Ｉｏｒ＿ＵＥ＿ＭＥＡＳは（４）式で表される。（なお、ＵＥ＿ＭＥＡＳはＵｓｅｒ−Ｅｑｕｉｐｍｅｎｔ　Ｍｅａｓｕｒｅｍｅｎｔの略である。）
【数４】
2004056540.tif 000006
【００２２】
一方、実際の受信信号の特定ＣＨ受信電力対全ＣＨ受信電力比Ｅｃ／Ｉｏｒは、
【数５】
2004056540.tif 000007
であることから、（４）式は（６）式に変形できる。
【数６】
2004056540.tif 000008
【００２３】
このとき従来の受信電界強度測定装置で測定される全ＣＨ受信電界強度をＲＳＳＩ＿ＵＥ＿ＭＥＡＳとした場合、同時に測定される特定ＣＨ受信電界強度ＲＳＣＰ＿ＵＥ＿ＭＥＡＳは、（１）式より下式で表される。
【数７】
2004056540.tif 000009
【００２４】
ここで、前述のように全ＣＨ受信電界強度は精度よく測定することが可能なので、実際の受信信号の全ＣＨ受信電界強度ＲＳＳＩとＲＳＳＩ＿ＵＥ＿ＭＥＡＳとが等価であるとして扱う。実際の受信信号の特定ＣＨ受信電界強度をＲＳＣＰとすると、（１）、（６）、（７）式よりＲＳＣＰ＿ＵＥ＿ＭＥＡＳは下式で表される。
【数８】
2004056540.tif 000010
【００２５】
（６）、（８）式は、従来の受信電界強度測定装置で測定されるＥｃ／Ｉｏｒ値が実際の受信信号のＥｃ／Ｉｏｒに対して誤差を持ち、その誤差によってＲＳＣＰ値にも誤差が生じることを示している。また、その誤差は、全ＣＨ受信電界強度と受信機がもつアンテナ入力換算帯域内雑音レベルに応じた値となることを示している。
【００２６】
図２で説明したように、従来の受信電界強度測定装置では、全ＣＨ受信電界強度が受信機帯域内雑音付近まで低下したとき、Ｅｃ／ＩｏｒおよびＲＳＣＰの測定値に誤差が生じる。
【００２７】
そこで、本発明の実施の形態では以下説明するような対処を講じる。
【００２８】
まず、本発明の第１の実施の形態について説明する。図３は、本実施の形態に係るＣＤＭＡ受信機における受信電界強度測定装置の構成を示すブロック図である。図１に示した構成要素と同じ要素には同じ参照符号を付してある。特に、Ｅｃ／Ｉｏｒ計算部１４、ＲＳＳＩ補正部１１は図１について説明したものと同じ入力値をもつ。また、Ｅｃ／Ｉｏｒ計算部１４、ＲＳＳＩ補正部１１、ＲＳＣＰ計算部１５は入力値に対して図１で説明したものと同じ動作をもって出力値を生成するものである。Ｎｄａｔａ２０は、想定される受信機帯域内雑音を示す値で、あらかじめ固定値としてメモリなどに蓄えられた値である。帯域内雑音補正部Ａ１９ではＥｃ／Ｉｏｒ計算部１４からの出力値Ｅｃ／Ｉｏｒに対して、ＲＳＳＩ補正部１１から出力されるＲＳＳＩ，Ｎｄａｔａ２０を用いた下式で表される演算処理を行いＥｃ／Ｉｏｒを出力する。
【数９】
2004056540.tif 000011
【００２９】
この（９）式は、（６）式に対して全ＣＨ受信電界強度をＲＳＳＩに、ＮｒｅｃｅｉｖｅｒをＮｄａｔａに、Ｅｃ／Ｉｏｒ＿ＵＥ＿ＭＥＡＳをＥｃ／Ｉｏｒ’にそれぞれ置き換え、Ｅｃ／Ｉｏｒについてまとめたものである。つまり、前述のように全ＣＨ受信電界強度はＲＳＳＩとして精度良い測定がなされるので、帯域内雑音補正部Ａ１９での演算処理によって受信機帯域内雑音の影響による誤差を補正したＥｃ／Ｉｏｒを得ることが可能となる。結果、精度良いＲＳＣＰ値を得ることが可能となる。
【００３０】
図４に、アンテナ入力換算帯域内雑音レベルが−１０１ｄＢｍの受信機にて第１の実施の形態の受信電力強度測定装置を用いて、Ｅｃ／Ｉｏｒ＝−５ｄＢの受信信号を受信した場合のＲＳＣＰ，Ｅｃ／Ｉｏｒ測定値を示す。ただし、結果は対数単位（ｄＢ）で示されている。図４から、実際のＥｃ／Ｉｏｒ，ＲＳＣＰに対して精度良く測定値が得られていることが分かる。
【００３１】
次に、本発明の第２の実施の形態を説明する。図５は本発明の第２の実施の形態に係るＣＤＭＡ受信機における受信電界強度測定装置の構成を示すブロック図である。この図において、図１に示した構成要素と同じ要素には同じ参照符号を付してある。特に、Ｅｃ／Ｉｏｒ計算部１４、ＲＳＳＩ補正部１１、ＲＳＣＰ計算部１５は、図１について説明したものと同じ入力値をもち、入力値に対して同じ動作をもって出力値を生成するものである。Ｎｄａｔａ２５は、想定される受信機帯域内雑音を示す値で、あらかじめ固定値としてメモリなどに蓄えられた値である。帯域内雑音補正部Ｂ２４ではＲＳＣＰ計算部１５からの出力値ＲＳＣＰ’に対して、ＲＳＳＩ補正部１１から出力されるＲＳＳＩ，Ｎｄａｔａ２５を用いた下式で表される演算処理を行い、ＲＳＣＰを出力する。
【数１０】
2004056540.tif 000012
【００３２】
この（１０）式は、（８）式に対して全ＣＨ受信電界強度をＲＳＳＩに、ＮｒｅｃｅｉｖｅｒをＮｄａｔａに、ＲＳＣＰ＿ＵＥ＿ＭＥＡＳをＲＳＣＰ’にそれぞれ置き換え、ＲＳＣＰについてまとめたものである。つまり、前述のように全ＣＨ受信電界強度はＲＳＳＩとして精度良い測定がなされるので、帯域内雑音補正部Ｂ２４での演算処理によって受信機帯域内雑音の影響による誤差を補正したＲＳＣＰ値を得ることが可能となる。
【００３３】
図６に、アンテナ入力換算帯域内雑音レベルが−１０１ｄＢｍの受信機にて、第２の実施の形態の受信電界強度測定装置を用いて、Ｅｃ／Ｉｏｒ＝−５ｄＢの受信信号を受信した場合のＲＳＣＰ，Ｅｃ／Ｉｏｒ測定値を示す。ただし、結果は対数単位（ｄＢ）で示されている。図６から、実際のＲＳＣＰに対して精度良く測定値が得られていることが分かる。第２の実施の形態では、Ｅｃ／Ｉｏｒについては補正が行われないので、Ｅｃ／Ｉｏｒのグラフは図２のグラフと同様である。
【００３４】
また、第１の実施の形態、第２の実施の形態ともに、Ｅｃ／Ｉｏｒ，ＲＳＣＰの補正演算に受信機帯域内雑音値を直接用いているが、受信機帯域内雑音は受信機のもつ雑音指数から（１１）式で求めることができる。
【数１１】
2004056540.tif 000013
【００３５】
したがって、Ｅｃ／Ｉｏｒ，ＲＳＣＰの補正に受信機の雑音指数を用いることも可能である。
【００３６】
また、環境温度の変化によって、受信機帯域内雑音、受信機雑音指数は変化するので、環境温度によって異なる受信機帯域内雑音値または受信機雑音指数値を用いてＥｃ／Ｉｏｒ，ＲＳＣＰの補正演算することによって、より精度のよい測定が実現できる。
【００３７】
図７は、このような観点から成された、第１の実施の形態の変形例に係り、温度センサ４１と、この検出温度情報に基づいてＮｄａｔａ２０を生成するデータ生成部４２とを設けた受信電界強度測定装置の構成を示している。データ生成部４２としては、例えば、検出温度データとＮｄａｔａ値とを対応付けたデータテーブルにより構成することができる。
【００３８】
図８は、第２の実施の形態の変形例に係り、温度センサ４１と、この検出温度情報に基づいてＮｄａｔａ２５を生成するデータ生成部４３とを設けた受信電界強度測定装置の構成を示している。データ生成部４３としては、データ生成部４２と同様、例えば、検出温度データとＮｄａｔａ値とを対応付けたデータテーブルにより構成することができる。
【００３９】
また、自動利得制御ループによって変更される受信機の利得によって、受信機帯域内雑音、受信機雑音指数は変化するので、受信機の利得または利得制御信号によって異なる受信機帯域内雑音値または受信機雑音指数値を用いてＥｃ／Ｉｏｒ，ＲＳＣＰの補正演算することによって、より精度のよい測定が実現できる。
【００４０】
図９はこのような観点から成された、第１の実施の形態の他の変形例に係り、図７に示した温度センサ４１の出力に代えて利得制御信号４０を用い、この利得制御信号４０からＮｄａｔａ２０を生成するデータ生成部４４を設けた受信電界強度測定装置の構成を示している。
【００４１】
図１０は第２の実施の形態の他の変形例に係り、図８に示した温度センサ４１の出力に代えて利得制御信号４０を用い、この利得制御信号４０からＮｄａｔａ２５を生成するデータ生成部４５を設けた受信電界強度測定装置の構成を示している。図９，図１０のいずれの場合も、利得制御信号４０としては、例えば積分器９の出力を用いることができる。
【００４２】
図１１に、上記のような受信機を内蔵した携帯通信端末装置としての携帯電話のハードウェア構成を表すブロック図を示す。
【００４３】
この携帯電話１００は、送受信用のアンテナ１、デュプレクサ２０１、受信部（ＲＸ）２０２、送信部（ＴＸ）２０３、デジタル信号処理部ＤＳＰ（Ｄｉｇｉｔａｌ　Ｓｉｇｎａｌ　Ｐｒｏｃｅｓｓｏｒ）２０４、スピーカ２０５、マイク２０６、イヤレシーバ２０７を含む。ＤＳＰ２０４は、受信信号の逆拡散および復号化等の処理、送信信号の符号化および拡散等の処理、ならびに音声およびデータの信号処理および入出力処理を行う。携帯電話１００は、さらに、この携帯電話の制御に関連した部位として、制御部２０８、メイン表示部２０９、入力操作部２１１、ＲＯＭ２１３、ＲＡＭ２１４等を有する。受信部２０２が図１の受信ＦＥ部２、可変利得増幅器３、直交復調部４およびＡ／Ｄコンバータ５に相当している。図１１の例では、各受信機の点線枠３０で囲んだ測定部はＤＳＰ２０４内で実現される。点線枠３０の部分は別途、集積回路化することも可能である。図では点線枠３０からＡ／Ｄコンバータ５およびＤ／Ａコンバータ１０を外したが、これらを点線枠３０内に含んでもよい。なお、図１には、受信機のみを示したので、送受信信号の分離・結合を行うデュプレクサ２０１は図示していない。
【００４４】
制御部２０８は中央処理装置（ＣＰＵ）などから構成される。入力操作部２１１は携帯電話の各種キーやボタン、ジョグダイヤル等に相当する。ＲＯＭ２１３には携帯電話の動作を実現するための制御プログラムが格納されている。ＲＯＭ２１３は、フラッシュＲＯＭのような再書き込み可能なメモリを含んでもよい。
【００４５】
受信電界強度測定装置で測定された結果は、従来と同様、携帯電話の内部または外部で使用される。例えば、制御チャネルについてのＲＳＳＩの測定結果は受信電界強度を示すバー表示に利用したり、セルの境界付近での基地局の切替をソフト的に行うソフトハンドオーバーなどに利用できる。あるいは、データチャネルについてのＲＳＣＰの測定結果により当該データチャネルのＳ／Ｎ比を求めることができる。また、ＲＳＣＰの測定結果を基地局側に通知し、送信電力制御に利用することもできる。
【００４６】
以上、本発明の好適な実施の形態について説明したが、種々の変形、変更が可能である。例えば、上記の実施の形態では主として携帯電話の受信機について説明したが、本発明は、直接スペクトラム拡散方式を採用した任意の受信機、ひいてはこの受信機を内蔵した任意の携帯通信端末装置に適用可能である。
【００４７】
【発明の効果】
本発明によれば、直接スペクトラム拡散方式によって多重化された信号中の特定のチャネル信号の受信電界強度の測定を、あらかじめ与える受信機帯域内雑音値を用いた補正処理を行うことによって、受信機帯域内雑音以下のレベルまで精度良く行うことが可能になる。
【図面の簡単な説明】
【図１】本発明が適用されるＣＤＭＡ受信機における受信電界強度測定装置（回路）の構成例を示すブロック図である。
【図２】従来の受信電界強度測定装置を用いた場合のＥｃ／Ｉｏｒ，ＲＳＣＰの測定値を示すグラフである。
【図３】本発明の実施の形態に係るＣＤＭＡ受信機における受信電界強度測定装置の構成を示すブロック図である。
【図４】本発明の第１の実施の形態の受信電力強度測定装置を用いた場合のＲＳＣＰ，Ｅｃ／Ｉｏｒ測定値を示すグラフである。
【図５】本発明の第２の実施の形態に係るＣＤＭＡ受信機における受信電界強度測定装置の構成を示すブロック図である。
【図６】本発明の第２の実施の形態の受信電力強度測定装置を用いた場合のＲＳＣＰ，Ｅｃ／Ｉｏｒ測定値を示すグラフである。
【図７】本発明の第１の実施の形態の変形例に係るＣＤＭＡ受信機における受信電界強度測定装置の構成を示すブロック図である。
【図８】本発明の第２の実施の形態の変形例に係るＣＤＭＡ受信機における受信電界強度測定装置の構成を示すブロック図である。
【図９】第１の実施の形態の他の変形例に係るＣＤＭＡ受信機における受信電界強度測定装置の構成を示すブロック図である。
【図１０】第２の実施の形態の他の変形例に係るＣＤＭＡ受信機における受信電界強度測定装置の構成を示すブロック図である。
【図１１】本発明の実施の形態における受信機を内蔵した携帯通信端末装置としての携帯電話のハードウェア構成を表すブロック図である。
【符号の説明】
１…アンテナ、２…受信フロントエンド部、３…可変利得増幅器、４…直交復調部、５…Ａ／Ｄコンバータ、６…受信信号レベル検出部、７…比較器、８…基準レベル値、９…積分器、１０…Ｄ／Ａコンバータ、１１…ＲＳＳＩ補正部、１２…逆拡散部、１３…チャネル信号レベル検出部、１４…Ｅｃ／Ｉｏｒ計算部、１５…ＲＳＣＰ計算部、１９…帯域内雑音補正部Ａ、２０…受信機帯域内雑音値、２４…帯域内雑音補正部Ｂ、２５…受信機帯域内雑音値
【図１】
2004056540.tif 000014
【図２】
2004056540.tif 000015
【図３】
2004056540.tif 000016
【図４】
2004056540.tif 000017
【図５】
2004056540.tif 000018
【図６】
2004056540.tif 000019
【図７】
2004056540.tif 000020
【図８】
2004056540.tif 000021
【図９】
2004056540.tif 000022
【図１０】
2004056540.tif 000023
【図１１】
2004056540.tif 000024